(57)【特許請求の範囲】
【請求項１】
血管内装置内で使用される隔壁であって、当該血管内装置は1つ以上の通気路が形成された内側表面を有し、当該隔壁は当該隔壁が当該血管内装置内で圧縮されたとき、当該隔壁の外側表面が当該1つ以上の通気路内に延在するのを防止するべく構成され、
当該隔壁は、外側表面、近位端部、及び遠位表面を形成する遠位端部を有する筒状本体を備え、当該筒状本体の長さは、当該隔壁が当該血管内装置内に置かれたとき、当該1つ以上の通気路が当該隔壁の遠位及び近位端部を過ぎて延在し、空気又は液体が1つ以上の通気路を経由し当該隔壁をバイパスするのを許容するように、当該血管内装置の内側表面に形成された1つ以上の通気路の長さよりも短く、
当該外側表面は圧縮されていないときに第一の径を有し、そして当該筒状本体の当該遠位表面は、当該隔壁が圧縮されていないときに当該外側表面と当該遠位表面との間で面取りされるように、当該第一の径よりも小さい第二の径を有し、且つ、当該隔壁が当該血管内装置内に挿入されたとき、当該外側表面は、
当該遠位端部が面取りされないように、当該第二の径に向けて圧縮される
ことを特徴とする隔壁装置。
【請求項２】
当該1つ以上の通気路の1つ以上の近位又は遠位の開口の表面積は、約０.０００００７平方インチから約０.００００４平方インチであることを特徴とする請求項１に記載の装置。
【請求項３】
当該遠位表面は、厚さを有する膜であって当該膜の近位表面が当該遠位表面に対して第一の距離にある膜を備え、当該面取りが当該第一の距離において始まることを特徴とする請求項１に記載の装置。
【請求項４】
当該膜を通る経路を形成する開口部をさらに備えることを特徴とする請求項３に記載の装置。
【請求項５】
血管内装置内で使用される隔壁であって、
当該隔壁は、
外側表面、近位端部、及び遠位表面を形成する遠位端部を有する筒状本体を備え、当該外側表面は当該近位端部から当該遠位端部まで各々が延在する1つ以上の通気路を有し、それによって空気又は液体が当該1つ以上の通気路を経由し当該隔壁をバイパスするのを許容し、
各々の通気路は、当該筒状本体の外側表面から凹まされた通気外側表面及び当該筒状本体の遠位端部から凹まされた通気遠位表面を備え、当該通気外側表面は当該隔壁が圧縮されていないときに当該隔壁の長手方向軸線から第一の半径距離に位置され、且つ、当該通気遠位表面は当該隔壁が圧縮されていないときに当該通気外側表面の当該遠位端部が面取りされるように、当該第一の半径距離よりも短い第二の半径距離まで半径方向に延在し、そして、当該隔壁が当該血管内装置内に挿入されたとき、当該筒状本体の当該外側表面の圧縮は当該通気外側表面の当該遠位端部が面取りされないように、当該通気外側表面が当該第二の半径距離に向けて圧縮されるのを生じさせることを特徴とする隔壁装置。
【請求項６】
各通気路の近位側開口部の断面積は、当該隔壁が圧縮されていないときの当該通気路の断面積とほぼ等しいことを特徴とする請求項５に記載の隔壁装置。
【請求項７】
当該1つ以上の通気路の1つ以上の近位側又は遠位側の開口部の断面積は、約０.０００００７平方インチから約０.００００４平方インチであることを特徴とする請求項５に記載の隔壁装置。
【請求項８】
当該隔壁が圧縮されていないときの各通気路の断面積は、当該隔壁が圧縮されているときの当該通気路の断面積よりも大きいことを特徴とする請求項５に記載の隔壁装置。
【請求項９】
当該1つ以上の通気路は、複数の通気路を備えることを特徴とする請求項５に記載の隔壁装置。
【請求項１０】
当該複数の通気路は、当該隔壁の外側表面の周りに等しく離間されていることを特徴とする請求項９に記載の隔壁装置。
【請求項１１】
筒状の内側表面を有するカテーテルアダプターであって、当該内側表面の径が第一の位置から第二の位置まで増大し、当該第二の位置が当該第一の位置よりも遠位側であるカテーテルアダプター、及び
外側表面、近位端部、及び遠位表面を形成する遠位端部を有する隔壁であって、当該外側表面は、当該近位端部から当該遠位端部まで各々が延在する1つ以上の通気路を有し、それによって空気又は液体が当該1つ以上の通気路を経由し当該隔壁をバイパスするのを許容する隔壁を備え、
当該隔壁は、当該隔壁が当該カテーテルアダプターの内側表面内で圧縮されたとき、当該隔壁の遠位端部の径が当該第一の位置に位置されている当該隔壁の部分の径よりも大きくなるように、当該隔壁の近位端部が当該第二の位置に位置されて、当該カテーテルアダプターの内側表面内に位置決めされていることを特徴とする血管内装置。
【請求項１２】
各通気路は、当該隔壁の当該外側表面から凹まされた通気外側表面及び当該隔壁の遠位端部から凹まされた通気遠位表面を備えていることを特徴とする請求項１１に記載の血管内装置。
【請求項１３】
当該通気外側表面及び当該通気遠位表面は、面取りされていない縁部を形成していることを特徴とする請求項１２に記載の血管内装置。
【請求項１４】
当該1つ以上の通気路は、複数の通気路を備えることを特徴とする請求項１１に記載の血管内装置。
【請求項１５】
当該複数の通気路は、当該隔壁の外側表面の周りに等しく離間されていることを特徴とする請求項１４に記載の血管内装置。
【請求項１６】
当該内側表面は、当該第二の位置に当該隔壁の遠位端部の一部が対抗して位置決めされる突出部を含んでいることを特徴とする請求項１１に記載の血管内装置。
【請求項１７】
当該隔壁が当該カテーテルアダプターの内側表面内に位置されるとき、当該第一の位置は当該隔壁の当該近位端部に対し遠位側であることを特徴とする請求項１１に記載の血管内装置。
【請求項１８】
当該第一の位置は当該隔壁の中間に対して遠位側であることを特徴とする請求項１７に記載の血管内装置。
【発明の詳細な説明】
【技術分野】
【０００１】
［背景技術］
カテーテルは、一般に、輸液療法のさまざまな目的で使用されている。例えば、カテーテルは、生理食塩水、種々の薬剤、及び完全非経口栄養素などの流体を患者に注入し、患者から血液を吸引し、又は患者の血管系の種々のパラメータを監視するために使用される。カテーテルは、典型的には、カテーテルを支持し、点滴用チューブへの取り付け具を提供するカテーテルアダプターに連結されている。一般に、患者の脈管構造へのカテーテルの留置後に、カテーテルアダプターは、患者に流体を注入するための点滴用チューブのセクションを介して流体源に連結され得る。
【０００２】
カテーテルの血管内での適切な配置を確認するために、臨床医は、一般に、患者の脈管構造からカテーテル又はカテーテルアダプターのフラッシュバックチャンバーへの、血液の「フラッシュバック」が存在することを確認する。カテーテルの適切な配置が確認されれば、臨床医は、点滴用チューブのセクションにカテーテルアダプターを取付け、又は血液への望ましくない暴露を防ぐために、手動で静脈を閉塞し続けなければならない。カテーテルアダプターを点滴用チューブのセクションに連結するステップは、カテーテルアダプターと点滴用チューブを同時に連結しながら、患者の静脈の圧力をぎこちなく維持することを臨床医に要求する。一般的な、まだ望ましくない実務は、臨床医が点滴用チューブをカテーテルアダプターに配置しそれに連結している間に、血液が一時的にかつ自由にカテーテルアダプターから流れるのを可能にすることである。別の一般的な実務は、カテーテルを患者の静脈に配置する前に、カテーテルアダプターを点滴用チューブに取付けることである。この方法は血液への望ましくない暴露を防ぐかもしれないが、点滴用チューブからカテーテルへの正圧が、望ましいフラッシュバックを可能にせず、かくて適切なカテーテル留置を確認するための臨床医の能力を低下させている。
【発明の概要】
【発明が解決しようとする課題】
【０００３】
したがって、血液への望ましくない暴露に遭遇する恐れなしに、制御された所望のフラッシュバックを可能にするカテーテルアセンブリに対する必要性が存在している。そのようなカテーテルアセンブリが、本明細書に開示されている。
【０００４】
上述したような制約を克服するために、本発明は、カテーテル装置内の隔壁を通気させるためのシステム及び方法に関する。特に、本発明は、組み立てられた血管内装置における隔壁によって経験される圧縮力を補償するための、様々な通気構造を提供することに関する。
【課題を解決するための手段】
【０００５】
いくつかの実施形態では、圧縮補償用隔壁装置は、近位端部、遠位端部及び外側表面を有して提供され、当該隔壁装置が血管内装置内に圧縮嵌合されたとき、面取りされた部分と血管内装置の内側表面との間に通気路が提供されるように、外側表面の遠位部分が面取りされている。いくつかの例では、通気路の開口部が、血管内装置の近位側チャンバーと遠位側チャンバーとの間の流体の通過を許可又は防止するように構成された表面積を含んでいる。さらに、いくつかの実装例では、隔壁の外側表面が、血管内装置用の通気路を形成する複数の凹部を含んでいる。他の実施形態では、血管内装置の内側表面が、血管内装置用の通気路を形成する複数の凹部を含んでいる。
【０００６】
いくつかの実施形態では、血管内装置のカテーテルアダプター内に配置された隔壁を通気させる方法が提供されている。特に、いくつかの実装例では、通気させる方法は、内側表面を有するカテーテルアダプターを準備し、カテーテルアダプターの内側表面内に隔壁を配置し、隔壁の外側表面とカテーテルアダプターの内側表面との間に、通気路であって近位側開口部及び遠位側開口部を有する通気路を設け、及び遠位側開口部の表面積を増大させるために、通気路の遠位端部を面取りするステップを含んでいる。いくつかの実施形態では、この方法は、血管内装置の組立の後に、通気路の近位側開口部の表面積が通気路の遠位側開口部の表面積にほぼ等しくなるように、通気路のジオメトリーを提供することをさらに含んでいる。
【０００７】
さらには、いくつかの実装例では、血管内装置は、内側表面を有するカテーテルアダプター、当該カテーテルアダプターの内側表面内に配置された隔壁であって、内側表面を近位側チャンバーと遠位側チャンバーとに分割している隔壁、当該隔壁の外側表面と当該カテーテルアダプターの内側表面との間に介在される通気路であって、近位側チャンバーと遠位側チャンバーとの間に流体連通を提供する、近位側開口部及び遠位側開口部を有する通気路、及び当該通気路の遠位側開口部の一部を形成する圧縮解放部を備え、当該遠位側開口部の表面積が、当該近位側開口部の表面積にほぼ等しい。いくつかの実施形態では、圧縮解放部は、当該隔壁の遠位端部の面取りされた外側表面、及び当該内側表面の遠位端部の面取りされた内側表面の少なくとも一つをさらに含んでいる。
【図面の簡単な説明】
【０００８】
本発明の上記に挙げた及びその他の特徴及び利点が得られる方法が容易に理解されるように、上に簡単に説明された本発明のより具体的な説明が、添付の図面に示されているその特定の実施形態を参照することによってなされる。これらの図面は、本発明の典型的な実施形態のみを示し、従って、本発明の範囲を限定すると考えられるべきではない。
【図１】図１は、本発明の代表的な実施形態による血管内装置の斜視図である。
【図２】図２は、本発明の代表的な実施形態による、導入ニードルの除去後の血管内装置の斜視図である。
【図３】図３は、本発明の代表的な実施形態による血管内装置の分解断面図である。
【図４】図４は、本発明の代表的な実施形態による圧縮補償用隔壁の斜視断面図である。
【図５】図５は、本発明の代表的な実施形態による、圧縮解放特徴部を組み込んで組み立てられた血管内装置の斜視断面図である。
【図６】図６は、本発明の代表的な実施形態による、図５の詳細な斜視断面図である。
【図７】図７は、本発明の代表的な実施形態による、圧縮解放特徴部を有する隔壁の斜視図である。
【図８Ａ】図８Ａは、本発明の代表的な実施形態による、図７の隔壁の断面図である。
【図８Ｂ】図８Ｂは、本発明の代表的な実施形態による、血管内装置の組立後の図８Ａの断面図である。
【図９Ａ】図９Ａは、本発明の代表的な実施形態による、圧縮解放特徴部を有するカテーテルアダプター及び隔壁の断面図である。
【図９Ｂ】図９Ｂは、本発明の代表的な実施形態による、隔壁に嵌められた図９Ａのカテーテルアダプターの断面図である。
【図１０Ａ】図１０Ａは、本発明の代表的な実施形態による、圧縮解放特徴部を有する隔壁が組み立てられる前の遠位端部の斜視図である。
【図１０Ｂ】図１０Ｂは、本発明の代表的な実施形態による、圧縮解放特徴部を有する隔壁の、血管内装置のカテーテルアダプターに装着されたときの遠位端部の斜視図である。
【図１０Ｃ】図１０Ｃは、本発明の代表的な実施形態による、圧縮解放特徴部を有する隔壁の、血管内装置のカテーテルアダプターに装着されたときの近位端部の斜視図である。
【０００９】
本発明の実施形態は、同一参照番号が同一又は機能的に類似する要素を指示している図面を参照することによって最も良く理解されるであろう。なお、本明細書において一般的に説明され、かつ図面に示されている本発明の構成要素は、多種多様な異なる構成で配列かつ設計され得ることが容易に理解されるであろう。従って、図面に示されるような以下のより詳細な説明は、特許請求される本発明の範囲を限定するものではなく、本発明の現在可能な好ましい実施形態の単なる代表である。
【発明を実施するための形態】
【００１０】
さて、図１を参照するに、血管内装置１０が示されている。血管内装置１０は、一般に、カテーテルアダプター１４の遠位端１６に連結されたカテーテル１２を含む。カテーテル１２及びカテーテルアダプター１４は、カテーテルアダプター１４の内腔がカテーテル１２の内腔と流体連通するように、一体的に連結されている。カテーテル１２は、一般に、患者へのカテーテルの挿入に関連付けられた圧力に耐えるのに十分な剛性を有する生体適合性材料から構成されている。
【００１１】
いくつかの実施形態では、図示のように、カテーテル１２は、可撓性又は半可撓性のポリマー材料で作られ、かつ、剛性の導入ニードル２２と組み合わせて使用することができるオーバーザニードルカテーテルである。剛性の導入ニードル２２は、非剛性オーバーザニードルカテーテルの患者への挿入を可能にしている。導入ニードル２２は、カテーテルアダプター１４の近位端１８に選択的に連結されるニードルハブ２６に結合され得る。導入ニードル２２は、典型的には、ニードル２２の先端がカテーテル１２の先細り先端部２０を越えて延在するように、カテーテル１２に挿通されている。導入ニードル２２を患者の静脈に挿入すると静脈に開口部を作成し、それを通してカテーテル１２の先細り先端部２０が挿入される。先細り先端部２０の外側表面は、開口部へのカテーテル１２の漸進的な挿入を可能にしている。
【００１２】
他の実施形態では、カテーテル１２は、オーバーザニードルカテーテルではなく、例えばビニルのような、硬質ポリマー材料からなる。硬質カテーテルは、患者の脈管系へのカテーテル１２の挿入を可能にするべく、患者に開口部をもたらすために利用される斜めの切断面を含むことができる。したがって、いくつかの実施形態では、カテーテル１２は、例えば、チタン、ステンレス鋼、ニッケル、モリブデン、外科用鋼、及びこれらの合金を含む金属材料からなる。さらに、他の実施形態では、外科的に移植されたカテーテルもまた本発明と組み合わせて使用され得る。
【００１３】
いくつかの実施形態では、カテーテル１２は、一般に、小さな末梢静脈への挿入のために短く又は切断されたカテーテルからなる、末梢型静脈カテーテルである。かかるカテーテルは、一般に、（スタブスケールで）約１４ゲージ以下のカテーテルの直径を備え、１３ミリメートルから約５２ミリメートルの間の長さである。末梢静脈カテーテルは、一般的に、一時的に配置するために設計されている。カテーテルの短い長さは、カテーテルの便利な配置を容易にしている。他の実施形態では、カテーテル１２は、より長く、より長期間使用され得る正中すなわち中央カテーテルである。
【００１４】
さて、図２を参照するに、カテーテル１２が一旦患者の静脈に挿入されると、流体源に接続され得る、カテーテル１２の内部管腔３６を通る流体導管を提供するために、導入ニードル２２がカテーテル１２から近位方向に除去される。いくつかの実施形態では、カテーテル１２及び/又はカテーテルアダプター１４の一部が、流体の患者への送達又は流体の患者からの除去をさらに容易にするために、静脈内チューブ４０のセクションに接続されるように構成されている。
【００１５】
いくつかの実施形態では、カテーテルアダプター１４の近位端１８がさらに、フランジ３２を含んでいる。フランジ３２は、静脈内チューブ４０又は患者の導管をカテーテルアセンブリ１０に連結するのを可能にするように構成された積極的な表面を提供する。いくつかの実施形態において、フランジ３２は、一組のねじ山３０を含んでいる。ねじ山３０は、一般的に、雄ルアーすなわち導管連結具４２の一部分からなる一組の補完的ねじ山４４を互換的に受け入れるべく提供され、かつ構成されている。導管連結具４２は、一般的に、患者導管４０の端部に液密な方法で連結されている。いくつかの実施形態では、導管連結具４２の内側部分は、プローブ部材４６を提供するために外側に延長されている。
【００１６】
いくつかの実施形態では、プローブ部材４６がカテーテルアダプター１４の近位端１８内に互換的に挿入され、そこの隔壁を作動させて、こうしてカテーテルアダプター１４内の流路を開いている。いくつかの実施形態では、カテーテルアダプター１４の近位端２２へのプローブ部材４６の挿入に続いて、導管連結具４２が、回転などによって、（ねじ山３０及び４４の組を介して）連結具４２及びフランジ２８にインターロックされる。いくつかの実施形態では、カテーテルアダプター１４内のプローブ４６の位置が、カテーテルアダプター１４の隔壁５０を介して隔壁アクチベータ８０を前進させ、それによって、米国特許出願第１２/５４４、６２４号（参照により本明細書に組み込まれている）に教示されるように、流体通路を開口する。
【００１７】
さて、図３を参照するに、血管内装置１０の分解断面図が示されている。いくつかの実施形態では、血管内装置１０は、隔壁５０を受容するための内側表面６０を有するカテーテルアダプター１４を備えている。いくつかの実施形態では、内側表面６０は、隔壁５０の長さ及び外径を収容するのに十分な長さと深さを有する凹状の溝を備えている。さらに、内側表面６０は、カテーテルアダプター１４の遠位側チャンバー６２と近位側チャンバー６４との間の流体連通を提供する１つ以上の通気路７０を含むことができる。例えば、いくつかの実施形態では、通気路７０が遠位側チャンバー６２から近位側チャンバー６４への空気の通過を可能にし、それによって隣接するチャンバー６２及び６４内の空気の圧力を平衡化する。この平衡は、患者へのカテーテル１２の挿入の際に望まれるフラッシュバックを妨げるかもしれない、遠位側チャンバー６２内での空気圧力の蓄積を防ぐ。
【００１８】
いくつかの実施形態では、１つ以上の通気路７０が、空気の流れを可能にし、血液の流れを止めるように設計されている。いくつかの実施形態では、隔壁５０が単一の通気路を備えている。他の実施形態では、隔壁５０が複数の通気路を備える。例えば、いくつかの実施形態において、隔壁５０は、２つの通気路と４０の通気路との間を備えている。さらに、いくつかの実施形態では、隔壁５０は６つの通気路を備えている。
【００１９】
いくつかの実施形態において、通気路７０は、近位側開口部７４及び遠位側開口部７６をさらに備えている。近位側及び遠位側の開口部７４及び７６の断面積は、通気路７０を通しての空気及び/又は液体の通過を許可又は排除するように選択され得る。したがって、いくつかの実施形態では、近位側及び遠位側の開口部７４及び７６は、約０.０００００７から０.００００４平方インチの間の断面積を備える。他の実施形態では、当該開口部７４及び７６は、約０.００００１から０.００００３平方インチ間の断面積を有する。他の実施形態では、当該開口部７４及び７６は、約０.００００２平方インチの断面積を有する。例えば、いくつかの実施形態では、当該開口部７４及び７６は、約０.００１〜０.００３インチの高さと約０.０１０インチの幅とを有している。他の実施形態では、当該開口部７４及び７６は、約０.００２〜０.００３インチの高さ及び約０.０００５インチの幅を有する。
【００２０】
同様に、隔壁５０とカテーテルアダプター１４の内側表面６０の間の通気路７０は、血液と空気が流速の推定された範囲でそれを介して通過するのを可能にするように具体的に構成することができる。例えば、いくつかの実施形態では、通気路７０は、血液が約１０〜２００ミリリットル/時の間の速度でそれを通って流れるのを可能にする。他の実施形態では、通気路７０は、血液が約１５〜１５０ミリリットル/時の間の速度でそれを通って流れるのを可能にする。さらに他の例では、通気路７０は、血液が約５０〜１００ミリリットル/時の間の速度でそれを通って流れるのを可能にする。これらの速度では、近位側チャンバー６４内への血流の速度が、患者の血管内にカテーテルを正確に配置するのに十分な時間を臨床医に提供するために、調整され得る。したがって、いくつかの実施形態では、通気路７０が０.００００３平方インチよりも大きい断面積を有する。他の実施形態では、通気路７０は、０.００００４平方インチよりも大きい断面積を有する。他の実施形態では、通気路７０は、約０.０００１平方インチの断面積を有する。他の実施形態では、通気路７０は、断面約０.０００１平方インチの断面積を有する。
【００２１】
図３を引き続き参照するに、いくつかの実施形態では、隔壁５０が、遠位側及び近位側のチャンバー６２及び６４の間に無効にできる障壁を提供する膜５２を備えている。例えば、いくつかの実施形態において、膜５２は、隔壁５０が内側表面６０内に嵌合されるとき、その外側表面に加えられる軸方向の圧縮力のせいで付勢されて閉じられるスリット５６を備えている。他の実施形態では、膜５２は、ニードルの先端のような鋭利な器具によって破られ得る穿刺可能な表面を含んでいる。
【００２２】
一般的には、隔壁５０は、組み立てられたとき、締まり嵌めによって内側表面６０に干渉する超弾性材料からなっている。いくつかの例では、組立体の血管内装置１０における隔壁５０によって経験される圧縮力は、通気路７０及び開口部７４、７６の断面積が変形されるのを生じさせ、そこでは隔壁５０の一部が隣接する通気路７０内に押し込まれる。したがって、いくつかの実施形態では、血管内装置１０は、締まり嵌めによる圧縮力の経
験を補償するために、さまざまな圧縮解放特徴部を備えている。
【００２３】
図３及び図４を参照するに、いくつかの実施形態では、隔壁５０の先端部分が圧縮力に起因する上述の変形を補償するように修正されている。例えば、いくつかの実施形態では、隔壁５０の外側表面の遠位端部に面取り５８が設けられている。いくつかの実施形態では、面取りされた部分５８は遠位方向７２に内方にテーパし、面取りされた部分５８の長さは膜５２の厚み６６にほぼ対応している。換言すれば、幾つかの実施形態では、面取りされた部分５８は膜５２の近位表面６８から膜５２の遠位表面７８に対して内側にテーパしている。さらに、いくつかの実施形態では、面取りされた部分５８の半径方向距離は、組み立てられたときに、最大に予想される圧縮の下での通気路７０の最大変形量にほぼ等しい。このように、通気路の幾何学的構造は、図５及び図６に示されるように、圧縮からの最小限の影響を経験する。
【００２４】
さて、図７を参照するに、いくつかの実施形態においては、複数のチャネルすなわち通気路１００が、隔壁１５０の外側表面１０２に設けられている。このように、隔壁１５０は、以下の図８Ｂ及び図９Ａ-１０Ｃに示すように、チャネルすなわち通気路を含まない滑らかな内表面１２０を有するカテーテルアダプター１４０内に配置又は装着されることもできる。したがって、通気路１００は、上記の説明によれば、遠位及び近位のチャンバー６２及び６４の間の流体連通を提供している。さらに、通気路１００は、前述のように、流体の通過を受容するためのそれぞれの表面積を有する遠位側及び近位側の開口部１７２及び１７４を含んでいる。
【００２５】
いくつかの実施形態では、通気路１００の遠位部分は、締まり嵌めの圧縮力に起因する前述の変形を補償するために面取り１５８されている。図８Ａに示すように、面取りされた部分１５８は、組み立ての前には、最終の通気路深さ１７８に対して近位方向に向かって外方にテーパしている増大された遠位側開口部１７２を提供している。いくつかの実施形態では、隔壁１５０の近位端において経験される圧縮力は、隔壁１５０の遠位端において経験される圧縮力よりも小さい。したがって、いくつかの実施形態において、近位側開口部１７４は、通気路深さ１７８における通気路１００の断面積にほぼ等しい断面積を有するように構成されている。これにより、通気路深さ１７８、遠位側開口部１７２及び近位側開口部１７４の所望の最終的な幾何学的形状が、図８Ｂに示すように、血管内装置１０の組立後に達成される。
【００２６】
さて、図９Ａを参照するに、いくつかの実施形態では、内側表面１２０の遠位部１６０が面取りされている。このように、カテーテルアダプター１４０は、図示のように、面取りされていない（非面取りの）遠位外側表面１８２を有する隔壁１８０と共に使用することができる。組立時には、図９Ｂに示すように、表面１８２が圧縮力によって変形され、それによって外側表面１８２が内側表面１２０の面取りされた部分１６０へ入るべく変位される。このようにして、通気路深さ１７８、遠位側開口部１７２及び近位側開口部１７４の所望の最終的な幾何学的形状が達成される。
【００２７】
いくつかの実施形態では、隔壁２５０が、所望の最終断面積よりも大きな初期断面積を備えた遠位側開口部２７２を有する通気路２００を備えている。一旦組み立てられると、圧縮力が開口部２７２の断面積を減少させ、それによって、図１０Ｂに示すように、所望の最終断面積を達成する。さらに、いくつかの実施形態では、遠位側開口部２７２の所望の最終断面積が，図１０Ｃに示すように，近位側開口部２７４の所望の最終断面積に等しいか、又は、ほぼ等しい。従って、本発明の圧縮解放特徴部は、圧縮力に対して補償し、それによってそれぞれの開口部や通気路を通る流れの閉塞を防止する。
【００２８】
本発明は、ここに広く記載され、かつ以下に特許請求されるように、その構造、方法、又は他の主要な特徴から逸脱することなく、他の特定の形態で具体化することができる。当該説明された実施形態は、すべての点において、限定ではなく例示として考慮されるべきである。本発明の範囲は、従って、前述の説明によってではなく、添付の特許請求の範囲によって示される。特許請求の範囲と均等の意味及び範囲内でのすべての変更は、その範囲内に包含されるべきである。
【図１】
0005993880.tif 000002
【図２】
0005993880.tif 000003
【図３】
0005993880.tif 000004
【図４】
0005993880.tif 000005
【図５】
0005993880.tif 000006
【図６】
0005993880.tif 000007
【図７】
0005993880.tif 000008
【図８Ａ】
0005993880.tif 000009
【図８Ｂ】
0005993880.tif 000010
【図９Ａ】
0005993880.tif 000011
【図９Ｂ】
0005993880.tif 000012
【図１０Ａ】
0005993880.tif 000013
【図１０Ｂ】
0005993880.tif 000014
【図１０Ｃ】
0005993880.tif 000015